【手続補正書】
【提出日】平成26年5月12日(2014.5.12)
【手続補正１】
【補正対象書類名】特許請求の範囲
【補正対象項目名】全文
【補正方法】変更
【補正の内容】
【特許請求の範囲】
【請求項１】
画像におけるエッジに対してエッジ補正処理を行う画像処理装置であって、
注目画素のデータの濃度を判定する濃度判定手段と、
前記注目画素のデータに対して誤差拡散処理を行う誤差拡散処理手段と、
前記注目画素のデータに対してディザ処理を行うディザ処理手段と、
前記注目画素のデータと前記ディザ処理手段より生成されたデータとに基づきエッジ縁取り処理を行うエッジ縁取り処理手段と、
前記注目画素が、前記濃度判定手段により閾値以上の高い値の濃度である高濃度と判定された場合は、前記注目画素に対する前記エッジ補正処理のデータとして、前記エッジ縁取り処理手段により生成されるデータを選択し、前記注目画素が、前記濃度判定手段により閾値よりも小さい値の濃度である低濃度と判定された場合は、前記注目画素に対する前記エッジ補正処理のデータとして、前記誤差拡散処理手段により生成されるデータを選択する選択手段とを有することを特徴とする画像処理装置。
【請求項２】
前記注目画素がエッジのデータであるか否かを、前記注目画素と前記注目画素の周辺の画素と、の濃度の差分に基づき、判定するエッジ判定手段を有することを特徴とする請求項１に記載の画像処理装置。
【請求項３】
前記選択手段により選択されたデータに基づき、前記注目画素のデータに対してエッジ補正を行う補正手段を有することを特徴とする請求項１又は２に記載の画像処理装置。
【請求項４】
画像におけるエッジに対してエッジ補正処理を行う画像処理装置であって、
注目画素のデータの濃度を判定する濃度判定手段と、
前記注目画素のデータに対して誤差拡散処理を行う誤差拡散処理手段と、
前記注目画素のデータに対してディザ処理を行うディザ処理手段と、
前記注目画素のデータと前記ディザ処理手段より生成されたデータからエッジ縁取り処理を行うエッジ縁取り処理手段と、
前記エッジ補正処理として、前記エッジ縁取り処理手段より生成されたデータと、前記誤差拡散処理手段より生成されたデータと、に基づきエッジ補正処理後のデータを生成するデータ混合手段とを有し、
前記データ混合手段は、前記注目画素の濃度が高いほど前記誤差拡散処理に対する前記エッジ縁取り処理の割合を大きくし、前記注目画素の濃度が低いほど前記エッジ縁取り処理に対する前記誤差拡散処理の割合を大きくすることを特徴とする画像処理装置。
【請求項５】
前記データ混合手段により生成されたデータに基づき、前記注目画素のデータに対してエッジ補正を行う補正手段を有することを特徴とする請求項４に記載の画像処理装置。
【請求項６】
画像におけるエッジに対してエッジ補正処理を行う画像処理装置であって、
注目画素のデータのエッジ強度であって、前記注目画素の周辺画素との濃度コントラストであるエッジ強度を演算をするエッジ強度演算手段と、
前記注目画素のデータに対して誤差拡散処理を行う誤差拡散処理手段と、
前記注目画素のデータに対してディザ処理を行うディザ処理手段と、
前記注目画素のデータと前記ディザ処理手段より生成されたデータとに基づきエッジ縁取り処理を行うエッジ縁取り処理手段と、
前記エッジ強度演算手段により演算された前記注目画素の前記エッジ強度が大きい場合は、前記エッジ縁取り処理手段により生成されたデータを選択し、前記エッジ強度演算手段の結果が小さい場合は前記誤差拡散処理手段により生成されたデータを選択する選択手段とを有することを特徴とする画像処理装置。
【請求項７】
前記選択手段により選択されたデータに基づき、前記注目画素のデータに対してエッジ補正を行う補正手段を有することを特徴とする請求項６に記載の画像処理装置。
【請求項８】
画像におけるエッジに対してエッジ補正処理を行う画像処理装置における画像処理方法であって、
注目画素のデータの濃度を判定する濃度判定工程と、
前記注目画素のデータに対して誤差拡散処理を行う誤差拡散処理工程と、
前記注目画素のデータに対してディザ処理を行うディザ処理工程と、
前記注目画素のデータと前記ディザ処理工程より生成されたデータとに基づきエッジ縁取り処理を行うエッジ縁取り処理工程と、
前記注目画素が、前記濃度判定工程により閾値以上の高い値の濃度である高濃度と判定された場合は、前記注目画素に対する前記エッジ補正処理のデータとして、前記エッジ縁取り処理工程により生成されるデータを選択し、前記注目画素が、前記濃度判定工程により閾値よりも小さい値の濃度である低濃度と判定された場合は、前記注目画素に対する前記エッジ補正処理のデータとして、前記誤差拡散処理工程により生成されるデータを選択する選択工程とを有することを特徴とする画像処理方法。
【請求項９】
画像におけるエッジに対してエッジ補正処理を行う画像処理装置における画像処理方法であって、
注目画素のデータの濃度を判定する濃度判定工程と、
前記注目画素のデータに対して誤差拡散処理を行う誤差拡散処理工程と、
前記注目画素のデータに対してディザ処理を行うディザ処理工程と、
前記注目画素のデータと前記ディザ処理工程より生成されたデータからエッジ縁取り処理を行うエッジ縁取り処理工程と、
前記エッジ補正処理として、前記エッジ縁取り処理工程より生成されたデータと、前記誤差拡散処理工程より生成されたデータと、に基づきエッジ補正処理後のデータを生成するデータ混合工程とを有し、
前記混合工程は、前記注目画素の濃度が高いほど前記誤差拡散処理に対する前記エッジ縁取り処理の割合を大きくし、前記注目画素の濃度が低いほど前記エッジ縁取り処理に対する前記誤差拡散処理の割合を大きくすることを特徴とする画像処理方法。
【請求項１０】
画像におけるエッジに対してエッジ補正処理を行う画像処理装置における画像処理方法であって、
注目画素のデータのエッジ強度であって、前記注目画素の周辺画素との濃度コントラストであるエッジ強度を演算をするエッジ強度演算工程と、
前記注目画素のデータに対して誤差拡散処理を行う誤差拡散処理工程と、
前記注目画素のデータに対してディザ処理を行うディザ処理工程と、
前記注目画素のデータと前記ディザ処理工程より生成されたデータとに基づきエッジ縁取り処理を行うエッジ縁取り処理工程と、
前記エッジ強度演算工程により演算された前記注目画素の前記エッジ強度が大きい場合は、前記エッジ縁取り処理工程により生成されたデータを選択し、前記エッジ強度演算工程の結果が小さい場合は前記誤差拡散処理工程により生成されたデータを選択する選択工程とを有することを特徴とする画像処理方法。
【請求項１１】
請求項１乃至７の何れか１項に記載の各手段として、コンピュータを機能させることを特徴とするコンピュータプログラム。
【手続補正２】
【補正対象書類名】明細書
【補正対象項目名】００３３
【補正方法】変更
【補正の内容】
【００３３】
○補正処理判定部１０７
図７は補正処理判定部１０７の処理フローである。まず、補正処理判定部１０７はエッジ補正処理を選択するために閾値ＴＨを読み込む（Ｓ１１０１）。なお、本実施形態では閾値ＴＨは予め記憶されている値を読み込むこととしたが、センサで測定した濃度情報によって決定される値を読み込んでもよいし、各色ごとにＴＨを変更させてもよい。つまり、閾値ＴＨは一義的に決定するのではなく、最適なエッジ補正処理を選択することができるようにしてもよい。